(57)【要約】【課題】光ディスク装置を縦置きにして使用する場合、ディスクが落下しないよう支えつつ装着する動作は、作業上容易ではなく、不便な面があった。【解決手段】筐体２と、前記筐体２から出没自在に取り付けられたトレイ３と、前記トレイ３に設けられ光ディスクに書き込まれたデータを読み取るか前記光ディスクにデータを書き込むかの少なくとも一方を行う光ピックアップ４ｂ及び前記光ディスクを回転させる駆動手段を備えたピックアップモジュール４と、前記駆動手段に設けられ前記光ディスクを前記駆動手段に係止し固定する係止手段と、前記筐体２と前記トレイ３を移動自在に保持する保持手段を有し、前記光ディスクを略鉛直状態にて装着可能な光ディスク装置１であって、前記トレイ３に前記光ディスクの外周部の一部を保持可能な保持部を少なくとも１つ設けた。【選択図】  図１
2005018816.tif 000002
【特許請求の範囲】
【請求項１】
筐体と、前記筐体から出没自在に取り付けられたトレイと、前記トレイに設けられ光ディスクに書き込まれたデータを読み取るか前記光ディスクにデータを書き込むかの少なくとも一方を行う光ピックアップ及び前記光ディスクを回転させる駆動手段を備えたピックアップモジュールと、前記駆動手段に設けられ前記光ディスクを前記駆動手段に係止し固定する係止手段と、前記筐体と前記トレイを移動自在に保持する保持手段を有し、前記光ディスクを略鉛直状態にて装着可能な光ディスク装置であって、前記トレイに前記光ディスクの外周部の一部を保持可能な保持部を少なくとも１つ設けたことを特徴とする光ディスク装置。
【請求項２】
光ディスクの駆動手段の回転中心から保持部までの最短距離が、前記光ディスクの最大半径よりも少なくとも大きいことを特徴とする請求項１記載の光ディスク装置。
【請求項３】
保持部は前記光ディスクを載置する載置部と前記載置部からの脱落を防止する突起部を有し、前記光ディスクの駆動手段の回転中心から前記突起部先端までの最短距離が、前記光ディスクの最大半径よりも少なくとも大きいことを特徴とする請求項１記載の光ディスク装置。
【請求項４】
トレイには光ディスクに対向する面を含むディスク装着面を有し、前記ディスク装着面は前記トレイの前記ディスク装着面側の他の面に対して凹部を形成しており、前記凹部の側面が載置部の一部であることを特徴とする請求項３記載の光ディスク装置。
【請求項５】
トレイには光ディスクに対向する面を含むディスク装着面を有し、前記ディスク装着面は前記トレイの前記ディスク装着面側の他の面に対して凹部を形成しており、前記凹部の側面の少なくとも一部が前記ディスク装着面に対して鋭角を成して保持部を形成したことを特徴とする請求項１記載の光ディスク装置。
【請求項６】
保持部がトレイに設けられた少なくとも１つのディスク保持手段に設けられており、前記ディスク保持手段は前記保持部と、前記トレイに回転または平行移動可能に支持する支持部と、前記保持部を駆動する駆動手段を有し、前記ディスク着脱時においては前記保持部は前記ディスクの外周端部を装着時位置にて保持し、ディスクデータ読み取りもしくは書き込み時においては前記保持部は前記ディスクから離れる様移動することが可能であることを特徴とする請求項１記載の光ディスク装置。
【請求項７】
駆動手段は、ディスク保持手段において支持部に対し保持部とは反対側に設けられた突起部と、前記支持部を支点に回転方向で前記保持部がディスクに接近する向きに付勢する付勢手段と、前記付勢による前記保持部の動きを制止する制止手段を有し、トレイを筐体に収納する際は前記筐体の一部と前記突起部の接触による前記ディスク保持手段の回転運動で前記保持部が前記ディスクから離れる様移動し、前記トレイが前記筐体から引き出される際は、前記筐体と前記突起部の接触が解除され前記付勢手段による付勢と前記制止手段による制止で、前記保持部が前記ディスク着脱時における前記ディスクの外周端部を保持する位置に戻ることを特徴とする請求項６記載の光ディスク装置。
【発明の詳細な説明】
【０００１】
【発明の属する技術分野】
本発明は、電子機器等に搭載されるか或いは電子機器に接続される光ディスク装置に関する。
【０００２】
【従来の技術】
電子機器に搭載されるＣＤ−ＲＯＭ、Ｒ，ＲＷ、ＤＶＤ−ＲＯＭ，ＲＡＭ，Ｒ，ＲＷなどの光ディスク装置のディスク装着方法としては、筐体よりトレイが引き出され、このトレイの所定の位置にディスクを載置するかトレイに設けられたスピンドルモータの係止部にディスクを係止し、再び筐体に戻して装着する方式（以下トレイ方式と称する）が一般的である。また搭載する電子機器が設置環境に柔軟に対応するために、縦置き、横置き両対応のものが多く、光ディスク装置についても縦置き、横置き両対応のものが一般的になっている。以下、従来の縦置き可能なトレイ方式の光ディスク装置の構成について、図を参照して説明する。
【０００３】
図５は従来の実施の形態における縦置き可能なトレイ方式の光ディスク装置の外観図である。光ディスク装置１には筐体２及びトレイ３があり、図５は筐体２からトレイ３を引き出した状態を示している。トレイ３にはピックアップモジュール４及びベゼル５が設けられている。ピックアップモジュール４にはディスクを回転させるスピンドルモータ４ａと光学的にディスク上に記録されたデータを読み取るかもしくはディスク上に所望のデータを書き込む動作の少なくとも一方を行う光ピックアップ４ｂが構成されている。スピンドルモータ４ａにはディスク装着部４ｃがあり、ディスクを装着し回転駆動させる。ディスクを装着する方法には数種類有るが、薄型タイプの光ディスク装置の場合部品配置の都合から、ディスク装着部４ｃはディスク中央の孔に嵌合するディスク嵌合部４ｅとディスク装着面４ｄとディスク係止部４ｆがあって、ディスク嵌合部４ｅにディスク中央部の孔を嵌合して径方向の位置決めを行い、ディスク装着面４ｄとディスク係止部４ｆでディスク中央の孔近傍の表面と裏面を挟むように係止し、固定する方法が多く採用されている。
【０００４】
トレイ３の両側部にはレール部６があり、両側部共にレール７とディスク引き出し方向に摺動自在に嵌合している。また、レール７は筐体２両側部内面に設けられたレールガイド８ともディスク引き出し方向に摺動自在に嵌合しており、トレイ３は筐体２からディスクが着脱できるよう引き出すことが出来る。
【０００５】
トレイ３には凹部を形成してディスク装着面９があり、トレイ３の表面３ａとディスク装着面９をつなぐ側面９ａは、ディスク装着方向から見てディスクの回転軸を中心とした略円形を成している。
【０００６】
先行例としては、（特許文献１）、（特許文献２）等がある。
【０００７】
【特許文献１】
特開平１１−３９８４２号公報
【特許文献２】
特開２００１−６２４６号公報
【０００８】
【発明が解決しようとする課題】
このような従来の縦置き可能なトレイ方式の光ディスク装置を縦置き状態で使用する場合、ディスクを装着するにはトレイ３を筐体２から引き出し、縦置きになったトレイ３のディスク装着部４ｃに、略水平方向からディスクを装着しなければならない。しかしながら、ディスクが落下しないよう鉛直方向を支えつつ、ディスク装着部４ｃのディスク嵌合部４ｅに嵌合させながらディスク係止部４ｆに押しつけて係止する略水平方向の装着動作は、作業上容易ではなく、不便な面があった。
【０００９】
一方、筐体２内にピックアップモジュール４を有しており、トレイ３にディスクを仮置きもしくは仮固定後トレイ３を筐体２に収納すると自動的に筐体２内のディスク装着部４ｃにディスクを固定する方式も存在する。この方式の場合装着動作は容易だが、自動的にディスク装着部４ｃにディスクを固定する機構のため、光ディスク装置を薄型化できないという問題があった。
【００１０】
【課題を解決するための手段】
このような課題を解決するために本発明では、筐体と、前記筐体から出没自在に取り付けられたトレイと、前記トレイに設けられ光ディスクに書き込まれたデータを読み取るか前記光ディスクにデータを書き込むかの少なくとも一方を行う光ピックアップ及び前記光ディスクを回転させる駆動手段を備えたピックアップモジュールと、前記駆動手段に設けられ前記光ディスクを前記駆動手段に係止し固定する係止手段と、前記筐体と前記トレイを移動自在に保持する保持手段を有し、前記光ディスクを略鉛直状態にて装着可能な光ディスク装置であって、前記トレイに前記光ディスクの外周部の一部を保持可能な保持部を少なくとも１つ設けた。
【００１１】
【発明の実施の形態】
請求項１記載の発明は、筐体と、前記筐体から出没自在に取り付けられたトレイと、前記トレイに設けられ光ディスクに書き込まれたデータを読み取るか前記光ディスクにデータを書き込むかの少なくとも一方を行う光ピックアップ及び前記光ディスクを回転させる駆動手段を備えたピックアップモジュールと、前記駆動手段に設けられ前記光ディスクを前記駆動手段に係止し固定する係止手段と、前記筐体と前記トレイを移動自在に保持する保持手段を有し、前記光ディスクを略鉛直状態にて装着可能な光ディスク装置であって、前記トレイに前記光ディスクの外周部の一部を保持可能な保持部を少なくとも１つ設けたことを特徴とする光ディスク装置により、ディスクの装着時ディスクの仮置きが出来るため、光ディスク装着動作が容易な光ディスク装置を提供することが出来る。
【００１２】
請求項２記載の発明は、光ディスクの駆動手段の回転中心から保持部までの最短距離が、前記光ディスクの最大半径よりも少なくとも大きいことを特徴とする請求項１記載の光ディスク装置によって、薄型化を阻害せずにディスク装着時のディスクの仮置可能な構成が出来るため、薄型で光ディスク装着動作が容易な光ディスク装置を提供することが出来る。
【００１３】
請求項３記載の発明は、保持部は前記光ディスクを載置する載置部と前記載置部からの脱落を防止する突起部を有し、前記光ディスクの駆動手段の回転中心から前記突起部先端までの最短距離が、前記光ディスクの最大半径よりも少なくとも大きいことを特徴とする請求項１記載の光ディスク装置によって、薄型化を阻害せずにディスク装着時のディスクの仮置可能な構成が出来るため、薄型で光ディスク装着動作が容易な光ディスク装置を提供することが出来る。
【００１４】
請求項４記載の発明は、トレイには光ディスクに対向する面を含むディスク装着面を有し、前記ディスク装着面は前記トレイの前記ディスク装着面側の他の面に対して凹部を形成しており、前記凹部の側面が載置部の一部であることを特徴とする請求項３記載の光ディスク装置によって、簡単な構成で薄型で光ディスク装着動作が容易な光ディスク装置を提供することが出来る。
【００１５】
請求項５記載の発明は、トレイには光ディスクに対向する面を含むディスク装着面を有し、前記ディスク装着面は前記トレイの前記ディスク装着面側の他の面に対して凹部を形成しており、前記凹部の側面の少なくとも一部が前記ディスク装着面に対して鋭角を成して保持部を形成したことを特徴とする請求項１記載の光ディスク装置によって、さらに簡単な構成で薄型で光ディスク装着動作が容易な光ディスク装置を提供することが出来る。
【００１６】
請求項６記載の発明は、保持部がトレイに設けられた少なくとも１つのディスク保持手段に設けられており、前記ディスク保持手段は前記保持部と、前記トレイに回転または平行移動可能に支持する支持部と、前記保持部を駆動する駆動手段を有し、前記ディスク着脱時においては前記保持部は前記ディスクの外周端部を装着時位置にて保持し、ディスクデータ読み取りもしくは書き込み時においては前記保持部は前記ディスクから離れる様移動することが可能であることを特徴とする請求項１記載の光ディスク装置によって、薄型で光ディスク装着動作がさらに容易な光ディスク装置を提供することが出来る。
【００１７】
請求項７記載の発明は、駆動手段は、ディスク保持手段において支持部に対し保持部とは反対側に設けられた突起部と、前記支持部を支点に回転方向で前記保持部がディスクに接近する向きに付勢する付勢手段と、前記付勢による前記保持部の動きを制止する制止手段を有し、トレイを筐体に収納する際は前記筐体の一部と前記突起部の接触による前記ディスク保持手段の回転運動で前記保持部が前記ディスクから離れる様移動し、前記トレイが前記筐体から引き出される際は、前記筐体と前記突起部の接触が解除され前記付勢手段による付勢と前記制止手段による制止で、前記保持部が前記ディスク着脱時における前記ディスクの外周端部を保持する位置に戻ることを特徴とする請求項６記載の光ディスク装置によって、薄型で光ディスク装着動作がさらに容易な光ディスク装置を提供することが出来る。
【００１８】
以下、本発明の実施の形態について、図面を用いて説明する。
【００１９】
（実施の形態１）
図１は本発明の一実施の形態における光ディスク装置の外観図、図２は本発明の一実施の形態における光ディスク装置のディスクを仮置きした状態の外観図、図３は本発明の一実施の形態における光ディスク装置のディスクを装着しディスクの中心軸方向ディスク面側から見た外観図、図４は本発明の他の一実施の形態における光ディスク装置のディスクを装着しディスクの中心軸方向ディスク面側から見た外観図である。
【００２０】
光ディスク装置１には筐体２及びトレイ３があり、図１は筐体２からトレイ３を引き出した状態を示している。トレイ３にはピックアップモジュール４及びベゼル５が設けられている。ピックアップモジュール４にはディスクを回転させるスピンドルモータ４ａと光学的にディスク上に記録されたデータを読み取るかもしくはディスク上に所望のデータを書き込む動作の少なくとも一方を行う光ピックアップ４ｂが構成されている。スピンドルモータ４ａにはディスク装着部４ｃがあり、ディスクを装着し回転駆動させる。ディスクを装着する方法には数種類有るが、薄型タイプの光ディスク装置の場合部品配置の都合から、ディスク装着部４ｃはディスク中央の孔に嵌合するディスク嵌合部４ｅとディスク装着面４ｄとディスク係止部４ｆがあって、ディスク嵌合部４ｅにディスク中央部の孔を嵌合して径方向の位置決めを行い、ディスク装着面４ｄとディスク係止部４ｆでディスク中央の孔近傍の表面と裏面を挟むように係止し、固定する方法が多く採用されている。
【００２１】
トレイ３の両側部にはレール部６があり、両側部共にレール７とディスク引き出し方向に摺動自在に嵌合している。また、レール７は筐体２両側部内面に設けられたレールガイド８ともディスク引き出し方向に摺動自在に嵌合しており、トレイ３は筐体２からディスクが着脱できるよう引き出すことが出来る。トレイ３には凹部を形成してディスク装着面９があり、トレイ３の表面３ａとディスク装着面９をつないで側面９ａを形成している。側面９ａはディスク装着面９に対し直角ないしは鈍角を成している。ディスク装着面９はディスク装着時にディスクが一部はみ出す欠落部９ｂを有している。欠落部９ｂにおいては側面９ａも欠落している。
【００２２】
光ディスク装置１を縦置きする場合、欠落部９ｂ側が上側になり、その反対であるＣ側が下側になる。
【００２３】
側面９ａのスピンドルモータ４ａに対してＣ側寄りには、突起９ｃが設けられている。突起９ｃは、トレイ３の表面３ａを延長した上面９ｄとディスク装着面９に対向する下面９ｅを有している。下面９ｅはディスク装着面９に略平行、もしくはディスク装着面９と下面９ｅの間隔Ｂが突起９ｃの根元よりも突起９ｃの端部９ｆ側で広くなるよう、若干の傾斜を成して構成されている。
【００２４】
突起９ｃはトレイ３に一体に構成されていても、別体に構成されていても良い。一体の場合、例えばトレイ３と一体成型が可能であり、容易に突起９ｃを設けることが出来る。また別体の場合、突起９ｃはねじ止めやはめ込みや接着などの方法でトレイ３に取り付けることが出来る。別体にすることにより、突起９ｃはトレイ３とは別の材質にすることが出来るため、例えば突起９ｃをシリコンゴム等弾性のある材質を採用することにより、よりディスク傷のつきにくい構成とすることが出来る。
【００２５】
ディスク装着面９に垂直な方向から見たときの側面９ａの端部９ｆの形状は略円形を含む形状であり、その中心はスピンドルモータ４ａの回転中心１０に対してＣ側寄りにずれている。突起９ｃの先端９ｇからスピンドルモータ４ａの回転中心１０までの最短距離Ｄは、ディスク装着時や回転時にディスクと先端９ｇが接触しないように、ディスクの最大半径にディスク回転時の振動分等の裕度をくわえて設定されており、具体的には１２１．５ｍｍ〜１２３ｍｍであることが望ましい。略円形である側面９ａの端部９ｆの中心がスピンドルモータ４ａの回転中心１０に対してＣ側寄りにずれていることによって、必要となる突起９ｃの高さＥを確保しつつ、ディスク装着時のディスクと突起９ｃの接触を防止している。
【００２６】
なお、側面９ａの端部９ｆの形状は中心がスピンドルモータ４ａの回転中心１０に略一致した略円形を含む形状であっても、略長円形や略多角形を含む形状であってもよい。いずれの場合にもディスク装着時や回転時にディスクと突起９ｃの先端９ｇが接触せず、必要となる突起９ｃの高さＥを確保するように構成されている。また、側面９ａはトレイ３のＣ側の側部で一部欠落した、側面欠落部１２を形成している。突起９ｃは側面欠落部１２の近傍にあることがより望ましい。
【００２７】
次に、本実施の形態においてのディスクの装着動作について、図面を用いて詳細に説明する。
【００２８】
図２は筐体２からトレイ３を引き出した状態を示している。図２において、光ディスク装置１を縦置きする場合、図１にも示したＣ側を下側にして、略直立させて配置する。ディスク１１を光ディスク装置１に装着する場合、まず、ディスク１１の側面１１ａを側面９ａのＣ側（以下、Ｃ側を下側、Ｃ側の反対側を上側と呼ぶ）寄りに、突起９ｃに係止しつつ載置する。よって、突起９ｃの高さＥは、少なくともディスク１１を係止可能な高さに設定される。さらに突起９ｃの高さＥ及びディスク装着面９と下面９ｅの間隔Ｂは、ディスク１１を載置する際に、ディスク１１の表面をディスク装着面９に対し、５°〜２０°程度倒した状態で突起９ｃに係止しつつ載置することが可能な様に設定されることで、載置までの動作が容易になる。この仮置きの状態では、ディスク１１の下側への落下は防がれる為、ディスク１１の側面１１ａと側面９ａの接点を支点に、ディスク１１がディスク装着面９とは反対側に倒れない様支えるのみでよい。具体的には、突起９ｃの高さＥは１．０ｍｍ〜３．０ｍｍで、ディスク装着面９と下面９ｅの間隔は１．３ｍｍ〜４．０ｍｍ、好ましくは１．５ｍｍ〜２．０ｍｍとすることで、良好な作業性を得ることが出来る。
【００２９】
この仮置きの状態では、ディスク１１の中心はスピンドルモータ４ａの回転中心１０と重ならず、下側にずれている。よって次の動作では、ディスク１１をディスク装着面９側に押しつけながら上側にずらし、突起９ｃとの係止を解除しつつディスク１１の中央孔１１ｂをディスク嵌合部４ｅに嵌合し、さらにスピンドルモータ４ａの回転軸方向ディスク装着面９側にディスク１１を押しつけることによって、ディスク装着面４ｄとディスク係止部４ｆでディスク中央の孔１１ｂ近傍の表面と裏面を挟むように係止することでディスク１１を固定する。
【００３０】
このとき、突起９ｃの先端９ｇからスピンドルモータ４ａの回転中心１０までの最短距離Ｄはディスク１１の半径よりも前述の裕度をもって大きく設定しているため、ディスク１１回転時においても突起９ｃがディスク１１と接触することはない。よってディスク装着面９と下面９ｅの間隔Ｂは、ディスク１１回転時のディスク１１の面ぶれ（回転によってディスク面とディスク装着面９が部分的に近づいたり離れたりする動き）を考慮する必要がなく、前述の仮置き時の裕度のみで良いため小さく設定できる。したがって、突起９ｃの上面９ｄはトレイ３の表面３ａの延長として構成可能である。よって、突起９ｃ部分の構成が光ディスク装置１の薄型化の支障になることを低減できる。しかし、特に薄型化の必要がないなど光ディスク装置１の構成上の要請がない場合、突起９ｃの上面９ｄ部分をトレイ３の表面３ａにたいして隆起させ、間隔Ｂを大きくとることも可能である。
【００３１】
なお、ディスク１１の仮置き時のディスク１１を係止する構造として、突起９ｃを無くし、側面９ａを下側（Ｃ側）近傍でディスク装着面９に対し鋭角を成す形状とし、かつディスク１１装着後及び回転時おいても側面９ａがディスク１１に接触しない様、側面９ａとディスク１１との裕度を設定した構成であっても良い。この場合、側面９ａとディスク装着面９とが鋭角を成している部分でディスク１１を仮置きすることが出来る。
【００３２】
また、図４に示す別の形態では、トレイ３に仮置き用可動片１３、１４が設けられている。図４（ａ）はディスク１１を装着し、ディスク１１の中心軸方向ディスク面側から見た外観図である。
【００３３】
仮置き用可動片１３と１４は、スピンドルモータ４ａの回転中心１０を通りトレイ３引き出し方向に垂直な面に対して略対照な形状をしているため、以下、形状は仮置き用可動片１３について詳細に説明する。
【００３４】
図４（ｂ）は仮置き用可動片１３単品の外観図である。仮置き用可動片１３にはディスク載置部１３ａと、ディスク載置部１３ａから突出しディスク載置部１３ａからディスク１１が脱落しない様係止する突起１３ｂが設けられている。また、支点用孔１３ｃがあり、支点用孔１３ｃに対してディスク載置部１３ａとは反対側にディスク載置部駆動用突起１３ｄが設けられている。ディスク載置部１３ａの突起１３ｂの厚みを除く奥行きＦは、ディスク１１を少なくとも載置可能に設定されており、また、ディスク載置部１３ａの突起１３ｂの厚みを含む奥行きは、側面９ａの幅よりも小さいことが望ましい。ディスク載置部１３ａの突起１３ｂの形状は、図１〜図３に示した実施の形態における突起９ｃの形状と同様である。
【００３５】
次に、仮置き用可動片１３、１４の配置及び動作について説明する。
【００３６】
仮置き用可動片１３、１４は、トレイ３上の配置についてはスピンドルモータ４ａの回転中心１０を通りトレイ３引き出し方向に垂直な面に対して略対照に配置されており、トレイ３に設けられた仮置き用可動片取り付け部３ｂに設けられている。また仮置き用可動片１３、１４は、ディスク１１装着後にディスク１１の側面１１ａがディスク載置部１３ａに略接触する様に配置されている。仮置き用可動片取り付け部３ｂには支点用突起３ｃが設けられており、仮置き用可動片１３、１４の支点用孔１３ｃと嵌合することにより、仮置き用可動片１３、１４はそれぞれ支点用突起３ｃを支点に回転自在に保持されているが、バネ１５等付勢手段により矢印Ｇの向きに回転する様付勢されている。但し、矢印Ｇの向きの回転は、仮置き用可動片取り付け部３ｂに設けられた突起状のストッパ１６により、ディスク載置部１３ａが一定の位置で止まる様構成されている。また、仮置き用可動片１３、１４のトレイ３上の配置及びディスク載置部駆動用突起１３ｄの形状により、例えばディスク載置部駆動用突起１３ｄがトレイ３の側面から突出する様構成されており、トレイ３を筐体２に収納するとディスク載置部駆動用突起１３ｄが筐体２の内面もしくは内面に設けられたガイド等に当たり、バネ１５による付勢に抗して仮置き用可動片１３、１４を矢印Ｇとは反対向きに回転させる。これによって突起１３ｂの端部１３ｅとスピンドルモータ４ａの回転中心１０間の最短距離がディスクの最大径にディスク回転時の振動分等の裕度をくわえた値になる様設定されている。具体的には、突起１３ｂの端部１３ｅとスピンドルモータ４ａの回転中心１０間の最短距離は１２１．５ｍｍ〜１２３ｍｍであることが望ましい。
【００３７】
ディスク１１を光ディスク装置１に装着する場合は、まず、ディスク１１の側面１１ａをディスク載置部１３ａに、突起１３ｂに係止しつつ載置する。このようにディスク１１を仮置きすることにより、ディスク１１装着時の落下が低減される。さらにディスク１１の側面１１ａとディスク載置部１３ａの接点を支点にして、スピンドルモータ４ａの回転軸方向ディスク装着面９側にディスク１１を押しつけることによって、ディスク１１が装着される。この実施の形態では、ディスク１１をディスク装着面９側に押しつけながら上側にずらす必要がないため、さらにディスク１１の装着が容易となる。ディスク１１のデータを読み取りもしくはデータを書き込みするためにトレイ３を収納すると、前述の構成により、突起１３ｂがディスク１１から離れるため、ディスク１１との接触は生じない。
【００３８】
なお、バネ１５による付勢は、ディスク１１の着脱時はディスク載置部１３ａは動かず、トレイ３を筐体２に収納する時は、ディスク載置部駆動用突起１３ｄが筐体２の内面もしくは内面に設けられたガイド等に当たり、バネ１５による付勢に抗して仮置き用可動片１３、１４を矢印Ｇとは反対向きに回転できる強度であることが望ましい。
【００３９】
【発明の効果】
以上のように本発明は、筐体と、前記筐体から出没自在に取り付けられたトレイと、前記トレイに設けられ光ディスクに書き込まれたデータを読み取るか前記光ディスクにデータを書き込むかの少なくとも一方を行う光ピックアップ及び前記光ディスクを回転させる駆動手段を備えたピックアップモジュールと、前記駆動手段に設けられ前記光ディスクを前記駆動手段に係止し固定する係止手段と、前記筐体と前記トレイを移動自在に保持する保持手段を有し、前記光ディスクを略鉛直状態にて装着可能な光ディスク装置であって、前記トレイに前記光ディスクの外周部の一部を保持可能な保持部を少なくとも１つ設けたことを特徴とする光ディスク装置によって、ディスクの装着時ディスクの仮置きが出来るため、光ディスク装着動作が容易な光ディスク装置を提供することが出来る。
【図面の簡単な説明】
【図１】本発明の一実施の形態における光ディスク装置の外観図
【図２】本発明の一実施の形態における光ディスク装置のディスクを仮置きした状態の外観図
【図３】本発明の一実施の形態における光ディスク装置のディスクを装着しディスクの中心軸方向ディスク面側から見た外観図
【図４】本発明の他の一実施の形態における光ディスク装置のディスクを装着しディスクの中心軸方向ディスク面側から見た外観図
【図５】従来の実施の形態における縦置き可能なトレイ方式の光ディスク装置の外観図
【符号の説明】
１  光ディスク装置
２  筐体
３  トレイ
３ａ  表面
４  ピックアップモジュール
４ａ  スピンドルモータ
４ｂ  光ピックアップ
４ｃ  ディスク装着部
４ｄ  ディスク装着面
４ｅ  ディスク嵌合部
４ｆ  ディスク係止部
５  ベゼル
６  レール部
７  レール
８  レールガイド
９  ディスク装着面
９ａ  側面
９ｂ  欠落部
９ｃ  突起
９ｄ  上面
９ｅ  下面
９ｆ  端部
９ｇ  先端
１０  回転中心
１１  ディスク
１１ａ  側面
１１ｂ  中央孔
１２  側面欠落部
１３  仮置き用可動片
１３ａ  ディスク載置部
１３ｂ  突起
１３ｃ  支点用孔
１３ｄ  ディスク載置部駆動用突起
１４  仮置き用可動片
１５  バネ
【図１】
2005018816.tif 000003
【図２】
2005018816.tif 000004
【図３】
2005018816.tif 000005
【図４】
2005018816.tif 000006
【図５】
2005018816.tif 000007